(57)【要約】【解決手段】本発明は、テントまたはシェルタ（９８，２０１）用の電力システム（６０，２００）を提供する。ワイヤ（６０）は、テントまたはシェルタ（９８，２０１）に取り付けられるか、その縁や縫い目（１００）ないしはスリーブ内に通されるか、または、シェルタの布地と一体化されることにより、テントまたはシェルタ（９８，２０１）内に取回される。一実施形態によれば、器具（２０８）がワイヤハーネス（６０）に接続され、テントまたはシェルタ内に設置されるか、取り付けられる。装置（２０８）は、ソケット（２３４）内に設置することができる。ソケット（２３４）は、ライトなどの付属品や器具に接続可能な端子を有する。ソケットに延びるコード（２２２）の逆側端部は、バッテリパック（２０３）などの電力供給源に取り付けることができる。【選択図】図１
2009510292.tif 000002
【特許請求の範囲】
【請求項１】
テントまたはシェルタ用の構造を形成する布地と、電力システムとを備え、
該電力システムは、
前記布地に結合されるとともに、器具を受け入れるソケットと、
該ソケットに結合されるとともに、前記テントまたはシェルタに取り付けられ、あるいは配されているワイヤハーネスと、
前記ワイヤハーネスに取り付けられて、前記ソケットに電力を供給する電源と、
を備える、
テントまたはシェルタ。
【請求項２】
前記ソケットの前記テントまたはシェルタに対する結合が、縫合によりなされている、請求項１に記載のテントまたはシェルタ。
【請求項３】
前記ソケットの前記テントまたはシェルタに対する結合は、
貫通する少なくとも１つの孔を有し、前記ソケットが結合される取付けプレートと、
前記テントまたはシェルタに結合され、前記少なくとも１つの孔を通じて伸長するウェビングと、
により構成されている、請求項１に記載のテントまたはシェルタ。
【請求項４】
前記ソケットの前記テントまたはシェルタに対する結合は、
前記ソケットが結合され、該ソケットと共に前記布地の第１の側面に配置された第１の取付けプレートと、
前記第１の側面の反対側である前記布地の第２の側面に配置され、前記第１の取付けプレートに結合され、前記第１の取付けプレートとの間に前記布地を挟み込むように形状づけられている構造体と、
により構成されている、請求項１に記載のテントまたはシェルタ。
【請求項５】
前記第１の取付けプレートおよび前記構造体のうちの一方に設けられた少なくとも１つのボスと、前記第１の取付けプレートおよび前記構造体のうちの他方に設けられた少なくとも１つのスナップとをさらに備え、前記少なくとも１つのスナップが、前記少なくとも１つのボスにスナップ留めされることにより、前記第１の取付けプレートが前記構造体に結合されるように構成されている、請求項４に記載のテントまたはシェルタ。
【請求項６】
前記電源が、バッテリパックを備える、請求項１に記載のテントまたはシェルタ。
【請求項７】
前記テントまたはシェルタが、バッテリパックを備える、請求項１に記載のテントまたはシェルタ。
【請求項８】
前記ワイヤハーネスの前記テントまたはシェルタに対する結合部は、前記テントまたはシェルタの縁内に設置された該ワイヤハーネス用のワイヤを備える、請求項１に記載のテントまたはシェルタ。
【請求項９】
前記ワイヤハーネスの前記テントまたはシェルタに対する結合部は、前記テントまたはシェルタの縁にクリップ留めされた該ワイヤハーネス用のワイヤを備える、請求項１に記載のテントまたはシェルタ。
【請求項１０】
前記電源は、充電バッテリパックを受け入れるソケットを備える、請求項１に記載のテントまたはシェルタ。
【請求項１１】
それぞれ使用に際して電気を必要とする複数の装置と、これら複数の装置のそれぞれに使用可能なバッテリパックと、を備えるキャンピングキット。
【請求項１２】
前記バッテリパックは充電式である、請求項１１に記載のキャンピングキット。
【請求項１３】
前記複数の装置の１つは、テント用のワイヤハーネスからなる、請求項１１に記載のキャンピングキット。
【請求項１４】
前記複数の装置の１つは、ランタンからなる、請求項１１に記載のキャンピングキット。
【請求項１５】
前記複数の装置の１つは、空気ポンプからなる、請求項１１に記載のキャンピングキット。
【請求項１６】
前記複数の装置は、テント用天井ファン、テント内部用ライト、テント用夜間ライト、テント用ポーチライト、テント用ファインダライト、およびテント用ポーチファンのうち、少なくとも１つを備える、請求項１１に記載のキャンピングキット。
【請求項１７】
前記複数の装置は、ランタン、エアポンプ、およびワイヤハーネスを有するテントを備える、請求項１１に記載のキャンピングキット。
【請求項１８】
前記複数の装置は、テント用に設計されている、請求項１１に記載のキャンピングキット。
【請求項１９】
請求項１１に記載のキャンピングキット用ランタン。
【請求項２０】
請求項１１に記載のキャンピングキット用空気ポンプ。
【請求項２１】
請求項１１に記載のキャンピングキット用バッテリパック。
【請求項２２】
各々充電可能な複数のバッテリパックと、充電器とをさらに備える、請求項１１に記載のキャンピングキット。
【発明の詳細な説明】
【技術分野】
【０００１】
本発明は、テント、特にテントの照明システムに関する。
【背景技術】
【０００２】
キャンプは、多くの人に楽しまれる人気のあるレクリエーションである。ほとんどのキャンパーは、キャンプ時に、アウトドアライフ用テントやファミリー用テントなどのレクリエーション用テントを使用する。一般的に、レクリエーション用テントは、軽量で、多くの場合、防水性の布地により作製された構造を有している。通常、レクリエーション用テントは、ポリエステル、その他の材料の折畳み可能なシェルタが、１つ以上のポールなどからなるフレーム上を伸長し、該フレームによって支持されるようになっている。レクリエーション用テントには、ドーム型テントやキャビン型テントなど、種々の形状がある。
【０００３】
キャンパーの一部は、レジャー時に、テントの中にいない場合でも、日光、雨、または虫を避けるために、自立型のシェルタを使用している。
【０００４】
たいてい、キャンパーは、キャンプ時にも自宅にいるのと同様の快適さを求める傾向がある。たとえば、多くのキャンパーは、ラウンジチェアやハンモック、携帯用のエアマットレスや簡易ベッド、その他のアイテムを持ち込んで、より快適に、より自宅にいるようにしている。ほとんどの場合、現代的な便利さの実現には電気を必要とするが、キャンプ場では電気を利用できない場合がある。
【発明の開示】
【課題を解決するための手段】
【０００５】
以下、本発明の基本的な理解のために、本発明のいくつかの実施形態について、その概要を示す。この概要は、本発明の外延を概観するものではない。本発明の範囲を定めたり、本発明の必須要素を特定する意図を有したりするものではない。その唯一の目的は、本発明のいくつかの実施形態を簡潔な形式で示すことで、後述するより詳細な説明に導入することにある。
【０００６】
一実施形態によれば、テントまたはシェルタ用の電力システムが提供される。ワイヤハーネスを、テントまたはシェルタに取り付けることにより、または、ワイヤをテントまたはシェルタの布地と一体化することにより、ワイヤハーネスがテントまたはシェルタ内に配されている。たとえば、ワイヤハーネスは、テントまたはシェルタの継ぎ目や縁に縫い込まれる。
【０００７】
一実施形態によれば、ソケットが、ワイヤハーネスに取り付けられ、テントまたはシェルタに設置される。ソケットは、テントまたはシェルタの、たとえば、上部や側壁に取り付けられる。ソケットは、ライトなどの付属品や器具を接続できる端子を有する。ソケットに繋がるコードの反対側端部は、バッテリボックスやバッテリパックなどの電源に取り付けられる。このソケットに取り付けられ、使用可能な器具としては、ライト、テントファン、ラジオ、ヘアドライヤ、ファン付きライト、噴霧器、虫取りライト、電気虫取り器などがあげられる。
【０００８】
本発明のその他の特徴は、図面を参照しながら、以下の詳細な説明によって明らかにされる。
【発明を実施するための最良の形態】
【０００９】
以下の記述において、本発明の種々の実施形態を説明する。説明のために、特定の構成および細部が記述され、その実施形態の完全な理解が図られている。しかしながら、これらの詳細な説明がなくても本発明を実施しうることは、当業者には明らかである。さらに、記載される実施形態が不明瞭とならないように、周知の特徴について、省略または簡略化する場合がある。
【００１０】
図面を参照するが、各図において同様の構成については同様の符号を付している。図１に、本発明の一実施形態に係るバッテリパック２０を示す。図示のように、バッテリパック２０は、たとえば、ランタン２２、エアベッドその他の空気膨張式装置用の空気ポンプ２４に使用可能である。また、テント２５用のワイヤシステムすなわちワイヤハーネス６０に電力を供給するために使用可能である。
【００１１】
ワイヤハーネス６０は、テント２５などのテントにおいて、その中の種々の装置に結合される。これらの装置としては、たとえば、天井ファン２６、内部用ライト２８、夜間ライト３０、ポーチライト３２、テント用ファインダライト（位置確認用ライト）３４、および／またはポーチファン３６があげられるが、これらに限定されるものではない。これらのアイテムは、現在、それぞれがテントで使用できるものとして個別に販売されており、それぞれの装置に適合する充電式または使い捨ての電池により電源が供給されている。ワイヤハーネスおよびバッテリパック２０を使用することにより、各装置の電源が不要となり、その結果、これらの装置を軽量小型化することができる。
【００１２】
バッテリパック２０は、ニッケルカドミウム充電池またはリチウム充電池のような充電池、ないしは、１つ以上の使い捨て電池、たとえば乾電池を収納するコンテナ容器とすることができる。容器の一実施形態の詳細については後述する。
【００１３】
一実施形態によれば、ランタン２２は、従来の燃料式ランタンの装飾的特徴を備える。たとえば、ランタン２２は、ベンチレータキャップ４０、グローブ４２，およびカラー４４を備える。図示の実施形態では、ランタン２２は、一般的なランタンの燃料タンク形状を持つベース４６をさらに備える。ランタン２２において、ベース４６は、バッテリパック２０を収容するための収納部４８を有する。収納部４８は、ベース４６の下側からアクセス可能で、ランタン２２がテーブルなどの表面に置かれた場合に、収容部およびバッテリパック２０は見えなくなる。
【００１４】
エアポンプ２４は、たとえばエアベッド（図示せず）などの種々の膨張式製品を膨張させるためのものである。エアポンプ２４は、バッテリパック２０を収容するための収容部５０を備える。
【００１５】
図２に、一実施形態に係るワイヤハーネス６０の詳細を示す。ワイヤハーネス６０は、バッテリパック２０を収容するためのソケット６２を有する。複数のワイヤ６４がソケット６２から外側に伸長し、バッテリパック２０がソケット６２に接続された場合に、バッテリパック２０からワイヤ６４に電力が供給される。必要であれば、ワイヤ６４への電気をオン・オフする１つ以上のスイッチ６６（図には１つのみを示した）をワイヤ６４またはソケット６２に設けてもよい。
【００１６】
一実施形態において、バッテリパック２０は、１つ以上の端子セットを備える。このため、図３に示す一例では、バッテリパック２０は、９つの端子セット７２，７４，７６，７８，８０，８２，８４，８６，８８を有するバッテリポスト７０を備える。端子セット７２〜８８のそれぞれに、バッテリパックにより供給される合計電圧の一部が供給される。一実施形態では、各端子セットにそれぞれ等しい電圧が供給されるが、異なる端子セットに異なる電圧を供給するようにしてもよい。一例として、９つの端子セット７２〜８８から、各２Ｖの電圧が供給され、バッテリパック２０により合計１８Ｖの電圧が供給されるようにする。
【００１７】
複数の端子セットを有し、端子セットごとに合計電圧の一部が供給されるバッテリパック２０を備えることにより、端子の一部のみを用いてバッテリパック２０から低い電圧を取り出して装置に使用することができる。たとえば、６Ｖのライン９０を端子セット７２，７４，７６にのみ接続する。このライン９０は、ソケット６２に接続されたワイヤ６４の１つであるか、または、バッテリパック２０に直接接続されたエアポンプ２４やランタン２２などの装置に組み込まれたものである。他の例として、１２Ｖのライン９２が端子セット７８〜８８に接続される。３番目の例として、１８Ｖのライン９４がすべての端子セット７２〜８８に接続される。このように、種々の組合せを用いて、所望の電圧を供給することができる。端子セットの一部のみを使用してバッテリパック２０の合計電圧より低い電圧を取り出すことにより、バッテリパック２０からの電流が、その全電圧を必要としない装置に送られる場合に、バッテリパック２０から流れる電流を制限するための加減抵抗器（レオスタット）、その他の類似の装置を不要にできる。
【００１８】
一実施形態において、ワイヤハーネス６０に、既存のテントまたはシェルタへの取付けを可能とする取付け構造を備えてもよい。取付け構造を取り付けることができる場所としては、たとえばテント９８の縫い目１００に形成された縁１０２がある（図４）。縁１０２は、２枚の布地を継ぎ合わせる際に、継ぎ目に生ずる重なった領域に存在する余分な材料である。余分な材料は折り返して縫合されるが、必ずしもその必要はない。テントでは、一般的には、縁１０２はテントの内側に配置される。図４の実施形態では、バネクリップ１０４が、そのような縁１０２に取り付けられように形状づけられている。
【００１９】
図示の実施形態では、バネクリップ１０４は、バネ鋼製のフープ１０６を有する。本実施形態では、ゴム端１０８，１１０がフープ１０６の両端部にそれぞれに取り付けられている。ただし、ゴム端１０８，１１０の代わりに、他の材料を用いてもよい。フープ１０６のバイアスがゴム端１０８、１１０を密着化させている。レバーアーム１１２，１１４がフープ１０６の脚部に沿って伸長し、その先端に把持面１１６を備えている。
【００２０】
バネクリップ１０４を設置するには、ユーザは把持面１１６の両端を握り、これらが密着化するように押圧して、ゴム端１０８、１１０を離間させる。バネクリップ１０４を定位置に固定するため、ゴム端１０８、１１０で縁１０２などの縁の周囲を挟み込むようにする。ワイヤケーブル１１８は、フープ１０６内を通るように伸長して、バネクリップ１０４により支持される。いくつかのバネクリップ１０４を備えることにより、ワイヤハーネス６０を既存のテントまたはシェルタの内側に取り付けることが可能となる。複数のバネクリップ１０４を配分することにより、ワイヤハーネス６０を支持して、テント９８、シェルタ、その他の構造に配設することができる。
【００２１】
図５に、ワイヤハーネス６０をテントまたはシェルタに取り付ける他の例を示す。図５に示す実施形態では、縁１２０にポケット１２２が形成されている。このポケット１２２は、たとえば縁１２０を折り返して端部を縫合することにより、形成できる。ワイヤケーブル１２４は、ポケット１２２の内側に拘束される。この場合、ワイヤケーブル１２４は、テントに組み込まれ、テントと一緒に販売される。一実施形態では、ケーブルの両端は継ぎ目を超えて伸長させて、天井ファン２６や夜間ライト３０などの装置を、ワイヤハーネス６０に取り付ける可能とする。必要に応じて、連結器、その他の連結用装置をワイヤ端部に設けてもよい。
【００２２】
代わりに、ワイヤを直接縫い目に組み込んでもよく、テントまたはシェルタ内の布地、その他の材料にワイヤを取り付けたり、その内側に配したりしてもよい。代替の形態としては、たとえば、テントまたはシェルタに内側スリーブ、ループ、その他の構造を設けて、その中にワイヤハーネス６０を配置してもよい。さらに、ソケット６２とバッテリパック２０とを支持するため、ポケット、その他の構造をテントの床または壁に設けてもよい。
【００２３】
このように、本発明の汎用的なバッテリパック２０により、キャンプ環境がより柔軟なものになる。このバッテリパック２０を、ランタン２２やエアポンプ２４などのテントまたはシェルタに取り付けられていない装置を含む、種々のアイテムに電力を供給するために用いてもよい。さらに、このような装置から、キャンプ用チェーンソーなどのキャンプツールに電力を供給してもよい。このバッテリパック２０を用いて、熱電式クーラーに電力を供給してもよい。さらに、ワイヤハーネス６０を使用することにより、バッテリパック２０を用いて、テント内やテント上の、またはシェルタに関係する、種々のアイテムに対して電力を供給することができる。ユーザは、必要に応じて、複数のバッテリパックを所有して、使用してもよく、充電器１３０が１つあれば、これらのバッテリパックの充電ができる（図１）。
【００２４】
また、バッテリパック２０は、製品販売に様々なオプションをもたらすことができる。たとえば、２つのバッテリパック２０と、エアポンプ２４と、ランタン２２と、テントと、エアベッドとをセットにして、「キャンピング・スターターキット」として、１つのパッケージで販売することができる。また、テントと、ワイヤハーネス６０と、２つ以上のバッテリパック２０と、１つ以上のテント用装置、たとえば天井ファン２６、テント内部用ライト２８、夜間ライト３０、ポーチライト３２、テント用ファインダライト３４、および、ポーチファン３６とを１つのセットとして販売してもよい。その他のオプションも考えられる。
【００２５】
図６に、本発明に係るテントまたはシェルタに設置可能な照明システム２００の一実施形態を示す。例として、照明システム２００を図８のテント２０１に設置した場合を示す。ここで、「テント」とは、レクリエーション用テントであり、たとえばファミリー用キャンプテント、登山用テント、探検用テント、またはアウトドアライフ用テントなどがあり、一般的には、これらのテントは一体型の床２０２を採用している。
【００２６】
照明システム２００として、ライト２０８に使用されるものを示すが、以下に示すように、様々な機器にも使用できる。すなわち、照明システム２００は、テントまたはシェルタ用の電力システムの１つであり、本システムと共に使用することができる１つの機器が、ライトである。しかしながら、説明の簡明化のために、本明細書では、このシステムを「照明システム」と記述する。
【００２７】
図６において、照明システム２００は、スイッチ２０４を有するバッテリボックス２０３を備える。代替的に、同様のスイッチをライト２０８などの機器側に、または照明システム２００のワイヤハーネスに設けてもよい。一実施形態においては、スイッチ２０４は、回路２０６に接続されている（図７）。この回路も、バッテリボックス２０３、機器側（ライト２０８など）、または照明システム２００のその他の任意の場所に配置することができる。
【００２８】
図７に示す実施形態のスイッチ２０４は、３点スイッチであり、「ＯＦＦ（オフ）」位置、「ＨＩＧＨ（ハイ）」位置、および「ＬＯＷ（ロー）」位置を備える。「ＯＦＦ」の位置では、回路２０６は開状態となる。「ＨＩＧＨ」位置では、バッテリボックス２０３からの電力が機器（たとえばライト２０８）に直接供給される。「ＬＯＷ」の位置では、回路中の電流はレオスタット（加減抵抗器）２１０を経由して流れ、機器により低い電圧が印加されるように、電流が減じられる。または、上述のように、バッテリボックス２０３の端子の一部を使用することで、一部の電圧がバッテリボックス２０３からライト２０８へ印加されるようにしてもよい。
【００２９】
一実施形態によれば、バッテリボックス２０３は、たとえば８個の単１乾電池などの使い捨て乾電池を収容可能に設計されている。しかしながら、充電池、交流電源コードに接続されている整流器などの他の電源も使用可能である。
【００３０】
図８から理解されるように、バッテリボックス２０３を収容するためのポーチ２１２をテント２０１の内部に備えてもよい。ポーチ２１２は、テントの床２０２近傍に設ける。これにより、バッテリボックス２０３がテントの床上に載置された状態となり、テントの側面が垂下してしまうことが最小限に抑えられる。代わりに、バッテリボックス、および／または、テントもしくはシェルタに、バッテリボックスをテントまたはシェルタ内の構造に取り付けるための他の構造を備えてもよい。たとえば、ストラップ、ファスナ、フック、テープ、クリップ、クランプなどがあげられるが、これらに限定されるものではない。
【００３１】
図１１に示す実施形態では、リモートコントローラ２１４が備えられ、このリモートコントローラ２１４によりスイッチ２０４を制御することで、照明システム２００を制御するようにしている。このリモートコントローラ２１４は、赤外線または無線技術により、照明システム２００の遠隔操作を実現する。図示の実施形態では、リモートコントローラ２１４はカラビナ２１６を備える。このカラビナ２１６は、テント内のたとえばフックやループにクリップ留めできるので、リモートコントローラを適切な位置に吊り下げることができる。必要に応じて、その他の取付け構造も採用できる。
【００３２】
機器として、たとえば図６に示したライト２０８を例示したが、その他の機器または装置についても、バッテリボックス２０３、その他の電源からの電力を利用することができる。このような装置の例としては、上記のワイヤハーネス６０と共に使用されるものとして列挙した、テントファン、ラジオ、電気式空気清浄器、ヘアドライヤ、スピーカ、ファン付き照明、噴霧器、虫取りランプ、電気虫取り器、電気式ランタン、電気毛布、ハンドミキサ、加湿器、その他の装置があげられる。
【００３３】
ライト２０８は、電球２２０を備える。図示の実施形態では、電球２２０は蛍光灯であるが、代替的に発光ダイオード（ＬＥＤ）、白熱電球、その他の適切なランプも使用可能である。
【００３４】
照明システム２００では、コード２２２が、ライト２０８とバッテリボックス２０３との間を伸長する。一実施形態では、コード２２２は、上述のワイヤハーネス６０と同様に、テントに取り付けられ、または、テントの内部に配される。すなわち、コード２２２は、恒久的または一時的にテントまたはシェルタの壁を構成する布地に取り付けられたり、前記構造体を通じて配されたりすることにより、バッテリボックス２０３が格納されている位置からライト２０８まで伸長する。
【００３５】
一実施形態では、シュラウド２３０が、コード２２２の端部に結合され、テントまたはシェルタの頂部に設置される。代替的に、シュラウド２３０をテントまたはシェルタの側面や他の場所に配置することも可能である。シュラウドは、様々な手段によりテントに取付け可能であるが、一実施形態では、テントの布地にオーバーモールドもしくは縫合によって取り付けられる。このため、シュラウド２３０は、テントおよび／またはシェルタの布地の層間に挟み込まれるフランジとして機能するベース２３２を備える。ネジ付きソケット２３４が、ベース２３２から内側に伸長する。ネジ付きソケット２３４は、刻み付き外周面２３６を備える。
【００３６】
一実施形態によれば、上述の機器、その他の機器は、ソケット２３４に適合するように設計される。このため、これらの機器は、ソケット２３４と螺入されるネジ付き突起２３７（図９のランプ２０８上に示す）を備える。接点（図示せず）がソケット２３４内に設けられている。これらの接点は、ランプ２０８などの機器がソケット２３４内に螺入された場合に、ランプ２０８、その他の機器の接点２３８，２４０（図１０）がソケット２３４内の接点と係合して、機器の回路２０６が完成するように、配置されている。
【００３７】
刻み付き外周面２３６は、ユーザが機器をソケット２３４に螺入する際に、ユーザにより把持され、機器のソケット２３４への取付けを補助する。機器およびネジ付きソケット２３４のスレッドは、所定の回転量、たとえば３６０°回転させた場合に、機器が取り付けられ、機器の接点２３８，２４０とソケット２３４内の接点とが接触するように、整合されている。
【００３８】
上述した種々の機器も、ソケット２３４に直接螺入させることが可能である。代替的に、機器にコードを設け、このコードの一端にランプ２０８のネジ付き突起２３７と同様の突起を設けてもよい。この場合、コードのネジ付き突起をソケット２３４に回し込むことにより、コードを通じて電力が機器に供給される。機器を電力システムに接続するために、その他のタイプのコネクタまたはプラグを備えるようにしてもよい。
【００３９】
代替的な実施形態では、機器をバッテリボックス２０３に直接取り付けるように構成してもよい。この場合、機器は、バッテリボックス２０３への接続用に、プラグ２２４のようなプラグを備える。
【００４０】
一実施形態では、シュラウド２３０は、テント２０１などのテントまたはシェルタ内に、コード２２２とともに、製造者によって設置される。ユーザは、バッテリボックス２０３をプラグ２２４に取り付けるだけで、ソケット２３４に対する電力供給を可能にできる。その後、ユーザは必要な機器をソケット２３４に取り付ける。
【００４１】
図１２は、ライト用ソケット３０２を、たとえばテント中に支持するための結合システム３００の代替実施形態を示す。結合システム３００は、周辺部に間隔をあけて配置されたボス３０６を有するプレート３０４を備える。ライト用ソケット３０２は、プレート３０４の中央部に取り付けられている。また、スナップ３１０を有するコネクタプレート３０８が用意される。
【００４２】
一実施形態において、コネクタプレート３０８は、テントまたはシェルタの外壁に配置され、プレート３０４は、テントまたはシェルタの壁の反対側（すなわち内壁）に配置される。それぞれのスナップ３１０は、壁材を挟み込み、スナップと壁材とが、対応するボス３０６内に押し込まれるようになっている。もしくは、テント壁を構成する布地に孔が設けることで、スナップをボスに挿入可能としてもよい。いずれにせよ、コネクタプレート３０８とプレート３０４とにより、ライト用ソケット３０２がテントの内壁に位置決めされて保持される。
【００４３】
図１３に示す他の実施形態では、結合システム４００は、プレート４０４上に取り付けられたライト用ソケット４０２を備える。プレート４０４は、周辺部に間隔をあけて配置されたスロット４０６を備える。ウェビング４０８が、テントまたはシェルタの縫い目に沿って伸長し、スロット４０６を通じてループを形成している。各ウェビング４０８は、ループを形成した状態で、取付け位置４１０において、縫合ないしはその他の手段により取り付けられている。必要に応じて、ウェビング４０８の取付け位置４１０への取付けを、着脱自在な取付け手段、たとえばフックとループによる閉止、スナップ、その他の手段を用いてもよい。たとえば、図１４に、同様のスロット５０６付きプレート５０４に取り付けられたライト用ソケット５０２を備える結合システム５００を示す。図１４に示す実施形態では、ウェビング５０８がスナップ５１０によってそれ自体に固定される。これにより、結合システム５００は、着脱自在にテントまたはシェルタに取り付けられる。
【００４４】
ソケットは、様々な手段により取り付けることができる。たとえば、ベースプレートをテントまたはシェルタに縫い付けてもよい。または、磁石と金属製のストリップまたはプレートを、布地のそれぞれの各面に配置して、磁力によりこのアッセンブリを保持してもよい。その他のオプションとして、ソケットをベースから取り外し可能としてもよい。たとえば、ベースまたはホルダをテントまたはシェルタに縫い付けておき、ライト用ソケットをこのベースまたはホルダに対して、たとえばクリップ、留め金、ファスナ、またはスライドロック機構により取り付けることができる。
【００４５】
その他の変形例も、本発明の思想の範囲内にある。本発明は、さまざまな改良の態様や代替の態様を許容するものであるが、特定の実施形態について図示し、詳細な説明を行った。しかしながら、特定の形態や開示された状態にのみ限定する意図はなく、本発明の思想および範囲内にある、すべての改良の態様、代替の態様、均等物を包含するものと意図されていることは理解されるべきである。
【００４６】
本発明の記述（特に、特許請求の範囲）の文脈中において、「a, an（ある）」、「the（前記）」、および同様の用語の使用は、文脈において明らかに反しないかぎり、単数および複数の両方の意味を包含する。「comprising（からなる）」、「having（有する）」、「including（含む、備える）」、および「containing（含有する）」の用語の使用は、注記されないかぎり、非限定語（たとえば、「からなるが、限定はされない」の意味）のように解釈される。用語「connected（結合される）」は、「attached（取り付けられる）」、「joined（連結される）」の語との間に隔たりがあるとしても、これらの意味を部分的にあるいは包括的に含むものと解釈される。数値範囲の列挙に関しては、かかる範囲に入る数値を個々に示すことを簡略化したものとして機能し、特に断りなき限り、それぞれの数値が本明細書に記述されたと同様に、本明細書に組み込まれる。方法については、注釈があったり、明らかに矛盾するといった場合を除き、適切な順序で実施しうるものと解釈される。例示および例示語「たとえば、such as（のような）」の語句は、本発明の実施形態を明らかにするためのものであり、特許請求の範囲に記述なき限り、本発明の範囲を制限する意図を有しない。また、明細書中の語句は、特許請求の範囲に記載されていない要素が本発明の実施に必須であると解釈させるものではない。
【００４７】
本発明を実施するにあたっての最良の形態を含む、本発明の好ましい実施形態について上述のように説明した。明細書を読むことにより、当業者がこれらの好ましい実施形態の変形例を想到しうることは明らかである。本発明者は、当業者が変形例を適切に使用することを期待し、また、本発明が上記の特定の記述の範囲を超えて実施されることを意図している。したがって、本発明は、適用法令の許す範囲において、特許請求の範囲に記載された主題の変形及び均等物を包含する。また、特に断りなき限り、または、文脈上明らかに矛盾しない限り、すべての考え得る変形例における上記の各構成要素の組合せは、本発明に包含される。
【図面の簡単な説明】
【００４８】
【図１】本発明の一実施形態に係る、複数の装置と共に使用できるバッテリパックを示すダイヤグラムである。
【図２】本発明の一実施形態に係るワイヤハーネスを示す側面図である。
【図３】本発明の一実施形態に係るバッテリパックの端子を示す平面図である。
【図４】本発明の一実施形態に係るバネクリップについて、テントの縁に取り付けられた状態を示す平面図である。
【図５】ワイヤがテントの縁に一体化したワイヤハーネスシステムを示す平面断面図である。
【図６】一実施形態に係るテントまたはシェルタ用照明システムの側面図である。
【図７】図６に示す照明システム用のバッテリボックスに使用される回路の回路図である。
【図８】図６の照明システムについて、テントに設置された状態を示す図である。
【図９】図６の照明システムに使用される電源ソケットおよびライトの側面図である。
【図１０】図９に示したライトの平面図である。
【図１１】図６に示した一実施形態に係るバッテリボックスに使用可能なリモコンの平面である。
【図１２】本発明の実施形態に係る、ライトソケットを支持する他の結合システムを示す図である。
【図１３】本発明の実施形態に係る、ライトソケットを支持する他の結合システムを示す図である。
【図１４】本発明の実施形態に係る、ライトソケットを支持する他の結合システムを示す図である。
【符号の説明】
【００４９】
２０  バッテリパック
２２  ランタン
２４  エアポンプ
２５  テント
２６  テント用天井ファン
２８  テント内部用ライト
３０  テント用夜間ライト
３４  テント用ファインダライト
３６  テント用ポーチファン
６０  ワイヤハーネス
６２  ソケット
６４  ワイヤ
９８  テント
１０２，１２０  テントの縁
１０４  バネクリップ
１２２  ポケット
１１８，１２４  ワイヤケーブル
２００  照明システム
２０１  テント
２０３  バッテリボックス
２０８  ライト
２１４  リモートコントローラ
２２２  コード
２３０  シュラウド
２３４  ソケット
３０２  ソケット
３０４  第１の取付けプレート
３０６  ボス
３０８  コネクタプレート（構造体）
３１０  スナップ
４０２  ソケット
４０４  取付けプレート
４０６  スロット（孔）
４０８  ウェビング
【図１】
2009510292.tif 000003
【図２】
2009510292.tif 000004
【図３】
2009510292.tif 000005
【図４】
2009510292.tif 000006
【図５】
2009510292.tif 000007
【図６】
2009510292.tif 000008
【図７】
2009510292.tif 000009
【図８】
2009510292.tif 000010
【図９】
2009510292.tif 000011
【図１０】
2009510292.tif 000012
【図１１】
2009510292.tif 000013
【図１２】
2009510292.tif 000014
【図１３】
2009510292.tif 000015
【図１４】
2009510292.tif 000016
【手続補正書】
【提出日】平成20年6月16日(2008.6.16)
【手続補正１】
【補正対象書類名】明細書
【補正対象項目名】全文
【補正方法】変更
【補正の内容】
【書類名】明細書
【発明の名称】テント用電力システム
【関連書類の相互参照】
【０００１】
本出願は、２００５年９月２８日出願の米国特許仮出願番号第６０／７２１２８１号、２００６年２月１７日出願の米国特許仮出願番号第６０／７７４３７１号に基づく優先権を主張するものであり、これらの出願の内容は、参照として、この明細書に組み込まれるものとする。
【技術分野】
【０００２】
本発明は、テント、特にテントの照明システムに関する。
【背景技術】
【０００３】
キャンプは、多くの人に楽しまれる人気のあるレクリエーションである。ほとんどのキャンパーは、キャンプ時に、アウトドアライフ用テントやファミリー用テントなどのレクリエーション用テントを使用する。一般的に、レクリエーション用テントは、軽量で、多くの場合、防水性の布地により作製された構造を有している。通常、レクリエーション用テントは、ポリエステル、その他の材料の折畳み可能なシェルタが、１つ以上のポールなどからなるフレーム上を伸長し、該フレームによって支持されるようになっている。レクリエーション用テントには、ドーム型テントやキャビン型テントなど、種々の形状がある。
【０００４】
キャンパーの一部は、レジャー時に、テントの中にいない場合でも、日光、雨、または虫を避けるために、自立型のシェルタを使用している。
【０００５】
たいてい、キャンパーは、キャンプ時にも自宅にいるのと同様の快適さを求める傾向がある。たとえば、多くのキャンパーは、ラウンジチェアやハンモック、携帯用のエアマットレスや簡易ベッド、その他のアイテムを持ち込んで、より快適に、より自宅にいるようにしている。ほとんどの場合、現代的な便利さの実現には電気を必要とするが、キャンプ場では電気を利用できない場合がある。
【課題を解決するための手段】
【０００６】
以下、本発明の基本的な理解のために、本発明のいくつかの実施形態について、その概要を示す。この概要は、本発明の外延を概観するものではない。本発明の範囲を定めたり、本発明の必須要素を特定する意図を有したりするものではない。その唯一の目的は、本発明のいくつかの実施形態を簡潔な形式で示すことで、後述するより詳細な説明に導入することにある。
【０００７】
一実施形態によれば、テントまたはシェルタ用の電力システムが提供される。ワイヤハーネスを、テントまたはシェルタに取り付けることにより、または、ワイヤをテントまたはシェルタの布地と一体化することにより、ワイヤハーネスがテントまたはシェルタ内に配されている。たとえば、ワイヤハーネスは、テントまたはシェルタの継ぎ目や縁に縫い込まれる。
【０００８】
一実施形態によれば、ソケットが、ワイヤハーネスに取り付けられ、テントまたはシェルタに設置される。ソケットは、テントまたはシェルタの、たとえば、上部や側壁に取り付けられる。ソケットは、ライトなどの付属品や器具を接続できる端子を有する。ソケットに繋がるコードの反対側端部は、バッテリボックスやバッテリパックなどの電源に取り付けられる。このソケットに取り付けられ、使用可能な器具としては、ライト、テントファン、ラジオ、ヘアドライヤ、ファン付きライト、噴霧器、虫取りライト、電気虫取り器などがあげられる。
【０００９】
本発明のその他の特徴は、図面を参照しながら、以下の詳細な説明によって明らかにされる。
【発明を実施するための最良の形態】
【００１０】
以下の記述において、本発明の種々の実施形態を説明する。説明のために、特定の構成および細部が記述され、その実施形態の完全な理解が図られている。しかしながら、これらの詳細な説明がなくても本発明を実施しうることは、当業者には明らかである。さらに、記載される実施形態が不明瞭とならないように、周知の特徴について、省略または簡略化する場合がある。
【００１１】
図面を参照するが、各図において同様の構成については同様の符号を付している。図１に、本発明の一実施形態に係るバッテリパック２０を示す。図示のように、バッテリパック２０は、たとえば、ランタン２２、エアベッドその他の空気膨張式装置用の空気ポンプ２４に使用可能である。また、テント２５用のワイヤシステムすなわちワイヤハーネス６０に電力を供給するために使用可能である。
【００１２】
ワイヤハーネス６０は、テント２５などのテントにおいて、その中の種々の装置に結合される。これらの装置としては、たとえば、天井ファン２６、内部用ライト２８、夜間ライト３０、ポーチライト３２、テント用ファインダライト（位置確認用ライト）３４、および／またはポーチファン３６があげられるが、これらに限定されるものではない。これらのアイテムは、現在、それぞれがテントで使用できるものとして個別に販売されており、それぞれの装置に適合する充電式または使い捨ての電池により電源が供給されている。ワイヤハーネスおよびバッテリパック２０を使用することにより、各装置の電源が不要となり、その結果、これらの装置を軽量小型化することができる。
【００１３】
バッテリパック２０は、ニッケルカドミウム充電池またはリチウム充電池のような充電池、ないしは、１つ以上の使い捨て電池、たとえば乾電池を収納するコンテナ容器とすることができる。容器の一実施形態の詳細については後述する。
【００１４】
一実施形態によれば、ランタン２２は、従来の燃料式ランタンの装飾的特徴を備える。たとえば、ランタン２２は、ベンチレータキャップ４０、グローブ４２，およびカラー４４を備える。図示の実施形態では、ランタン２２は、一般的なランタンの燃料タンク形状を持つベース４６をさらに備える。ランタン２２において、ベース４６は、バッテリパック２０を収容するための収納部４８を有する。収納部４８は、ベース４６の下側からアクセス可能で、ランタン２２がテーブルなどの表面に置かれた場合に、収容部およびバッテリパック２０は見えなくなる。
【００１５】
エアポンプ２４は、たとえばエアベッド（図示せず）などの種々の膨張式製品を膨張させるためのものである。エアポンプ２４は、バッテリパック２０を収容するための収容部５０を備える。
【００１６】
図２に、一実施形態に係るワイヤハーネス６０の詳細を示す。ワイヤハーネス６０は、バッテリパック２０を収容するためのソケット６２を有する。複数のワイヤ６４がソケット６２から外側に伸長し、バッテリパック２０がソケット６２に接続された場合に、バッテリパック２０からワイヤ６４に電力が供給される。必要であれば、ワイヤ６４への電気をオン・オフする１つ以上のスイッチ６６（図には１つのみを示した）をワイヤ６４またはソケット６２に設けてもよい。
【００１７】
一実施形態において、バッテリパック２０は、１つ以上の端子セットを備える。このため、図３に示す一例では、バッテリパック２０は、９つの端子セット７２，７４，７６，７８，８０，８２，８４，８６，８８を有するバッテリポスト７０を備える。端子セット７２〜８８のそれぞれに、バッテリパックにより供給される合計電圧の一部が供給される。一実施形態では、各端子セットにそれぞれ等しい電圧が供給されるが、異なる端子セットに異なる電圧を供給するようにしてもよい。一例として、９つの端子セット７２〜８８から、各２Ｖの電圧が供給され、バッテリパック２０により合計１８Ｖの電圧が供給されるようにする。
【００１８】
複数の端子セットを有し、端子セットごとに合計電圧の一部が供給されるバッテリパック２０を備えることにより、端子の一部のみを用いてバッテリパック２０から低い電圧を取り出して装置に使用することができる。たとえば、６Ｖのライン９０を端子セット７２，７４，７６にのみ接続する。このライン９０は、ソケット６２に接続されたワイヤ６４の１つであるか、または、バッテリパック２０に直接接続されたエアポンプ２４やランタン２２などの装置に組み込まれたものである。他の例として、１２Ｖのライン９２が端子セット７８〜８８に接続される。３番目の例として、１８Ｖのライン９４がすべての端子セット７２〜８８に接続される。このように、種々の組合せを用いて、所望の電圧を供給することができる。端子セットの一部のみを使用してバッテリパック２０の合計電圧より低い電圧を取り出すことにより、バッテリパック２０からの電流が、その全電圧を必要としない装置に送られる場合に、バッテリパック２０から流れる電流を制限するための加減抵抗器（レオスタット）、その他の類似の装置を不要にできる。
【００１９】
一実施形態において、ワイヤハーネス６０に、既存のテントまたはシェルタへの取付けを可能とする取付け構造を備えてもよい。取付け構造を取り付けることができる場所としては、たとえばテント９８の縫い目１００に形成された縁１０２がある（図４）。縁１０２は、２枚の布地を継ぎ合わせる際に、継ぎ目に生ずる重なった領域に存在する余分な材料である。余分な材料は折り返して縫合されるが、必ずしもその必要はない。テントでは、一般的には、縁１０２はテントの内側に配置される。図４の実施形態では、バネクリップ１０４が、そのような縁１０２に取り付けられように形状づけられている。
【００２０】
図示の実施形態では、バネクリップ１０４は、バネ鋼製のフープ１０６を有する。本実施形態では、ゴム端１０８，１１０がフープ１０６の両端部にそれぞれに取り付けられている。ただし、ゴム端１０８，１１０の代わりに、他の材料を用いてもよい。フープ１０６のバイアスがゴム端１０８、１１０を密着化させている。レバーアーム１１２，１１４がフープ１０６の脚部に沿って伸長し、その先端に把持面１１６を備えている。
【００２１】
バネクリップ１０４を設置するには、ユーザは把持面１１６の両端を握り、これらが密着化するように押圧して、ゴム端１０８、１１０を離間させる。バネクリップ１０４を定位置に固定するため、ゴム端１０８、１１０で縁１０２などの縁の周囲を挟み込むようにする。ワイヤケーブル１１８は、フープ１０６内を通るように伸長して、バネクリップ１０４により支持される。いくつかのバネクリップ１０４を備えることにより、ワイヤハーネス６０を既存のテントまたはシェルタの内側に取り付けることが可能となる。複数のバネクリップ１０４を配分することにより、ワイヤハーネス６０を支持して、テント９８、シェルタ、その他の構造に配設することができる。
【００２２】
図５に、ワイヤハーネス６０をテントまたはシェルタに取り付ける他の例を示す。図５に示す実施形態では、縁１２０にポケット１２２が形成されている。このポケット１２２は、たとえば縁１２０を折り返して端部を縫合することにより、形成できる。ワイヤケーブル１２４は、ポケット１２２の内側に拘束される。この場合、ワイヤケーブル１２４は、テントに組み込まれ、テントと一緒に販売される。一実施形態では、ケーブルの両端は継ぎ目を超えて伸長させて、天井ファン２６や夜間ライト３０などの装置を、ワイヤハーネス６０に取り付ける可能とする。必要に応じて、連結器、その他の連結用装置をワイヤ端部に設けてもよい。
【００２３】
代わりに、ワイヤを直接縫い目に組み込んでもよく、テントまたはシェルタ内の布地、その他の材料にワイヤを取り付けたり、その内側に配したりしてもよい。代替の形態としては、たとえば、テントまたはシェルタに内側スリーブ、ループ、その他の構造を設けて、その中にワイヤハーネス６０を配置してもよい。さらに、ソケット６２とバッテリパック２０とを支持するため、ポケット、その他の構造をテントの床または壁に設けてもよい。
【００２４】
このように、本発明の汎用的なバッテリパック２０により、キャンプ環境がより柔軟なものになる。このバッテリパック２０を、ランタン２２やエアポンプ２４などのテントまたはシェルタに取り付けられていない装置を含む、種々のアイテムに電力を供給するために用いてもよい。さらに、このような装置から、キャンプ用チェーンソーなどのキャンプツールに電力を供給してもよい。このバッテリパック２０を用いて、熱電式クーラーに電力を供給してもよい。さらに、ワイヤハーネス６０を使用することにより、バッテリパック２０を用いて、テント内やテント上の、またはシェルタに関係する、種々のアイテムに対して電力を供給することができる。ユーザは、必要に応じて、複数のバッテリパックを所有して、使用してもよく、充電器１３０が１つあれば、これらのバッテリパックの充電ができる（図１）。
【００２５】
また、バッテリパック２０は、製品販売に様々なオプションをもたらすことができる。たとえば、２つのバッテリパック２０と、エアポンプ２４と、ランタン２２と、テントと、エアベッドとをセットにして、「キャンピング・スターターキット」として、１つのパッケージで販売することができる。また、テントと、ワイヤハーネス６０と、２つ以上のバッテリパック２０と、１つ以上のテント用装置、たとえば天井ファン２６、テント内部用ライト２８、夜間ライト３０、ポーチライト３２、テント用ファインダライト３４、および、ポーチファン３６とを１つのセットとして販売してもよい。その他のオプションも考えられる。
【００２６】
図６に、本発明に係るテントまたはシェルタに設置可能な照明システム２００の一実施形態を示す。例として、照明システム２００を図８のテント２０１に設置した場合を示す。ここで、「テント」とは、レクリエーション用テントであり、たとえばファミリー用キャンプテント、登山用テント、探検用テント、またはアウトドアライフ用テントなどがあり、一般的には、これらのテントは一体型の床２０２を採用している。
【００２７】
照明システム２００として、ライト２０８に使用されるものを示すが、以下に示すように、様々な機器にも使用できる。すなわち、照明システム２００は、テントまたはシェルタ用の電力システムの１つであり、本システムと共に使用することができる１つの機器が、ライトである。しかしながら、説明の簡明化のために、本明細書では、このシステムを「照明システム」と記述する。
【００２８】
図６において、照明システム２００は、スイッチ２０４を有するバッテリボックス２０３を備える。代替的に、同様のスイッチをライト２０８などの機器側に、または照明システム２００のワイヤハーネスに設けてもよい。一実施形態においては、スイッチ２０４は、回路２０６に接続されている（図７）。この回路も、バッテリボックス２０３、機器側（ライト２０８など）、または照明システム２００のその他の任意の場所に配置することができる。
【００２９】
図７に示す実施形態のスイッチ２０４は、３点スイッチであり、「ＯＦＦ（オフ）」位置、「ＨＩＧＨ（ハイ）」位置、および「ＬＯＷ（ロー）」位置を備える。「ＯＦＦ」の位置では、回路２０６は開状態となる。「ＨＩＧＨ」位置では、バッテリボックス２０３からの電力が機器（たとえばライト２０８）に直接供給される。「ＬＯＷ」の位置では、回路中の電流はレオスタット（加減抵抗器）２１０を経由して流れ、機器により低い電圧が印加されるように、電流が減じられる。または、上述のように、バッテリボックス２０３の端子の一部を使用することで、一部の電圧がバッテリボックス２０３からライト２０８へ印加されるようにしてもよい。
【００３０】
一実施形態によれば、バッテリボックス２０３は、たとえば８個の単１乾電池などの使い捨て乾電池を収容可能に設計されている。しかしながら、充電池、交流電源コードに接続されている整流器などの他の電源も使用可能である。
【００３１】
図８から理解されるように、バッテリボックス２０３を収容するためのポーチ２１２をテント２０１の内部に備えてもよい。ポーチ２１２は、テントの床２０２近傍に設ける。これにより、バッテリボックス２０３がテントの床上に載置された状態となり、テントの側面が垂下してしまうことが最小限に抑えられる。代わりに、バッテリボックス、および／または、テントもしくはシェルタに、バッテリボックスをテントまたはシェルタ内の構造に取り付けるための他の構造を備えてもよい。たとえば、ストラップ、ファスナ、フック、テープ、クリップ、クランプなどがあげられるが、これらに限定されるものではない。
【００３２】
図１１に示す実施形態では、リモートコントローラ２１４が備えられ、このリモートコントローラ２１４によりスイッチ２０４を制御することで、照明システム２００を制御するようにしている。このリモートコントローラ２１４は、赤外線または無線技術により、照明システム２００の遠隔操作を実現する。図示の実施形態では、リモートコントローラ２１４はカラビナ２１６を備える。このカラビナ２１６は、テント内のたとえばフックやループにクリップ留めできるので、リモートコントローラを適切な位置に吊り下げることができる。必要に応じて、その他の取付け構造も採用できる。
【００３３】
機器として、たとえば図６に示したライト２０８を例示したが、その他の機器または装置についても、バッテリボックス２０３、その他の電源からの電力を利用することができる。このような装置の例としては、上記のワイヤハーネス６０と共に使用されるものとして列挙した、テントファン、ラジオ、電気式空気清浄器、ヘアドライヤ、スピーカ、ファン付き照明、噴霧器、虫取りランプ、電気虫取り器、電気式ランタン、電気毛布、ハンドミキサ、加湿器、その他の装置があげられる。
【００３４】
ライト２０８は、電球２２０を備える。図示の実施形態では、電球２２０は蛍光灯であるが、代替的に発光ダイオード（ＬＥＤ）、白熱電球、その他の適切なランプも使用可能である。
【００３５】
照明システム２００では、コード２２２が、ライト２０８とバッテリボックス２０３との間を伸長する。一実施形態では、コード２２２は、上述のワイヤハーネス６０と同様に、テントに取り付けられ、または、テントの内部に配される。すなわち、コード２２２は、恒久的または一時的にテントまたはシェルタの壁を構成する布地に取り付けられたり、前記構造体を通じて配されたりすることにより、バッテリボックス２０３が格納されている位置からライト２０８まで伸長する。
【００３６】
一実施形態では、シュラウド２３０が、コード２２２の端部に結合され、テントまたはシェルタの頂部に設置される。代替的に、シュラウド２３０をテントまたはシェルタの側面や他の場所に配置することも可能である。シュラウドは、様々な手段によりテントに取付け可能であるが、一実施形態では、テントの布地にオーバーモールドもしくは縫合によって取り付けられる。このため、シュラウド２３０は、テントおよび／またはシェルタの布地の層間に挟み込まれるフランジとして機能するベース２３２を備える。ネジ付きソケット２３４が、ベース２３２から内側に伸長する。ネジ付きソケット２３４は、刻み付き外周面２３６を備える。
【００３７】
一実施形態によれば、上述の機器、その他の機器は、ソケット２３４に適合するように設計される。このため、これらの機器は、ソケット２３４と螺入されるネジ付き突起２３７（図９のランプ２０８上に示す）を備える。接点（図示せず）がソケット２３４内に設けられている。これらの接点は、ランプ２０８などの機器がソケット２３４内に螺入された場合に、ランプ２０８、その他の機器の接点２３８，２４０（図１０）がソケット２３４内の接点と係合して、機器の回路２０６が完成するように、配置されている。
【００３８】
刻み付き外周面２３６は、ユーザが機器をソケット２３４に螺入する際に、ユーザにより把持され、機器のソケット２３４への取付けを補助する。機器およびネジ付きソケット２３４のスレッドは、所定の回転量、たとえば３６０°回転させた場合に、機器が取り付けられ、機器の接点２３８，２４０とソケット２３４内の接点とが接触するように、整合されている。
【００３９】
上述した種々の機器も、ソケット２３４に直接螺入させることが可能である。代替的に、機器にコードを設け、このコードの一端にランプ２０８のネジ付き突起２３７と同様の突起を設けてもよい。この場合、コードのネジ付き突起をソケット２３４に回し込むことにより、コードを通じて電力が機器に供給される。機器を電力システムに接続するために、その他のタイプのコネクタまたはプラグを備えるようにしてもよい。
【００４０】
代替的な実施形態では、機器をバッテリボックス２０３に直接取り付けるように構成してもよい。この場合、機器は、バッテリボックス２０３への接続用に、プラグ２２４のようなプラグを備える。
【００４１】
一実施形態では、シュラウド２３０は、テント２０１などのテントまたはシェルタ内に、コード２２２とともに、製造者によって設置される。ユーザは、バッテリボックス２０３をプラグ２２４に取り付けるだけで、ソケット２３４に対する電力供給を可能にできる。その後、ユーザは必要な機器をソケット２３４に取り付ける。
【００４２】
図１２は、ライト用ソケット３０２を、たとえばテント中に支持するための結合システム３００の代替実施形態を示す。結合システム３００は、周辺部に間隔をあけて配置されたボス３０６を有するプレート３０４を備える。ライト用ソケット３０２は、プレート３０４の中央部に取り付けられている。また、スナップ３１０を有するコネクタプレート３０８が用意される。
【００４３】
一実施形態において、コネクタプレート３０８は、テントまたはシェルタの外壁に配置され、プレート３０４は、テントまたはシェルタの壁の反対側（すなわち内壁）に配置される。それぞれのスナップ３１０は、壁材を挟み込み、スナップと壁材とが、対応するボス３０６内に押し込まれるになっている。もしくは、テント壁を構成する布地に孔が設けることで、スナップをボスに挿入可能としてもよい。いずれにせよ、コネクタプレート３０８とプレート３０４とにより、ライト用ソケット３０２がテントの内壁に位置決めされて保持される。
【００４４】
図１３に示す他の実施形態では、結合システム４００は、プレート４０４上に取り付けられたライト用ソケット４０２を備える。プレート４０４は、周辺部に間隔をあけて配置されたスロット４０６を備える。ウェビング４０８が、テントまたはシェルタの縫い目に沿って伸長し、スロット４０６を通じてループを形成している。各ウェビング４０８は、ループを形成した状態で、取付け位置４１０において、縫合ないしはその他の手段により取り付けられている。必要に応じて、ウェビング４０８の取付け位置４１０への取付けを、着脱自在な取付け手段、たとえばフックとループによる閉止、スナップ、その他の手段を用いてもよい。たとえば、図１４に、同様のスロット５０６付きプレート５０４に取り付けられたライト用ソケット５０２を備える結合システム５００を示す。図１４に示す実施形態では、ウェビング５０８がスナップ５１０によってそれ自体に固定される。これにより、結合システム５００は、着脱自在にテントまたはシェルタに取り付けられる。
【００４５】
ソケットは、様々な手段により取り付けることができる。たとえば、ベースプレートをテントまたはシェルタに縫い付けてもよい。または、磁石と金属製のストリップまたはプレートを、布地のそれぞれの各面に配置して、磁力によりこのアッセンブリを保持してもよい。その他のオプションとして、ソケットをベースから取り外し可能としてもよい。たとえば、ベースまたはホルダをテントまたはシェルタに縫い付けておき、ライト用ソケットをこのベースまたはホルダに対して、たとえばクリップ、留め金、ファスナ、またはスライドロック機構により取り付けることができる。
【００４６】
その他の変形例も、本発明の思想の範囲内にある。本発明は、さまざまな改良の態様や代替の態様を許容するものであるが、特定の実施形態について図示し、詳細な説明を行った。しかしながら、特定の形態や開示された状態にのみ限定する意図はなく、本発明の思想および範囲内にある、すべての改良の態様、代替の態様、均等物を包含するものと意図されていることは理解されるべきである。
【００４７】
本発明の記述（特に、特許請求の範囲）の文脈中において、「a, an（ある）」、「the（前記）」、および同様の用語の使用は、文脈において明らかに反しないかぎり、単数および複数の両方の意味を包含する。「comprising（からなる）」、「having（有する）」、「including（含む、備える）」、および「containing（含有する）」の用語の使用は、注記されないかぎり、非限定語（たとえば、「からなるが、限定はされない」の意味）のように解釈される。用語「connected（結合される）」は、「attached（取り付けられる）」、「joined（連結される）」の語との間に隔たりがあるとしても、これらの意味を部分的にあるいは包括的に含むものと解釈される。数値範囲の列挙に関しては、かかる範囲に入る数値を個々に示すことを簡略化したものとして機能し、特に断りなき限り、それぞれの数値が本明細書に記述されたと同様に、本明細書に組み込まれる。方法については、注釈があったり、明らかに矛盾するといった場合を除き、適切な順序で実施しうるものと解釈される。例示および例示語「たとえば、such as（のような）」の語句は、本発明の実施形態を明らかにするためのものであり、特許請求の範囲に記述なき限り、本発明の範囲を制限する意図を有しない。また、明細書中の語句は、特許請求の範囲に記載されていない要素が本発明の実施に必須であると解釈させるものではない。
【００４８】
本発明を実施するにあたっての最良の形態を含む、本発明の好ましい実施形態について上述のように説明した。明細書を読むことにより、当業者がこれらの好ましい実施形態の変形例を想到しうることは明らかである。本発明者は、当業者が変形例を適切に使用することを期待し、また、本発明が上記の特定の記述の範囲を超えて実施されることを意図している。したがって、本発明は、適用法令の許す範囲において、特許請求の範囲に記載された主題の変形及び均等物を包含する。また、特に断りなき限り、または、文脈上明らかに矛盾しない限り、すべての考え得る変形例における上記の各構成要素の組合せは、本発明に包含される。
【図面の簡単な説明】
【００４９】
【図１】  本発明の一実施形態に係る、複数の装置と共に使用できるバッテリパックを示すダイヤグラムである。
【図２】  本発明の一実施形態に係るワイヤハーネスを示す側面図である。
【図３】  本発明の一実施形態に係るバッテリパックの端子を示す平面図である。
【図４】  本発明の一実施形態に係るバネクリップについて、テントの縁に取り付けられた状態を示す平面図である。
【図５】  ワイヤがテントの縁に一体化したワイヤハーネスシステムを示す平面断面図である。
【図６】  一実施形態に係るテントまたはシェルタ用照明システムの側面図である。
【図７】  図６に示す照明システム用のバッテリボックスに使用される回路の回路図である。
【図８】  図６の照明システムについて、テントに設置された状態を示す図である。
【図９】  図６の照明システムに使用される電源ソケットおよびライトの側面図である。
【図１０】  図９に示したライトの平面図である。
【図１１】  図６に示した一実施形態に係るバッテリボックスに使用可能なリモコンの平面である。
【図１２】  本発明の実施形態に係る、ライトソケットを支持する他の結合システムを示す図である。
【図１３】  本発明の実施形態に係る、ライトソケットを支持する他の結合システムを示す図である。
【図１４】  本発明の実施形態に係る、ライトソケットを支持する他の結合システムを示す図である。
【符号の説明】
【００５０】
２０  バッテリパック
２２  ランタン
２４  エアポンプ
２５  テント
２６  テント用天井ファン
２８  テント内部用ライト
３０  テント用夜間ライト
３４  テント用ファインダライト
３６  テント用ポーチファン
６０  ワイヤハーネス
６２  ソケット
６４  ワイヤ
９８  テント
１０２，１２０  テントの縁
１０４  バネクリップ
１２２  ポケット
１１８，１２４  ワイヤケーブル
２００  照明システム
２０１  テント
２０３  バッテリボックス
２０８  ライト
２１４  リモートコントローラ
２２２  コード
２３０  シュラウド
２３４  ソケット
３０２  ソケット
３０４  第１の取付けプレート
３０６  ボス
３０８  コネクタプレート（構造体）
３１０  スナップ
４０２  ソケット
４０４  取付けプレート
４０６  スロット（孔）
４０８  ウェビング